【手続補正書】
【提出日】平成27年6月24日(2015.6.24)
【手続補正１】
【補正対象書類名】特許請求の範囲
【補正対象項目名】全文
【補正方法】変更
【補正の内容】
【特許請求の範囲】
【請求項１】
電気装置の温度に敏感な部分の温度を管理するように構成された熱管理システムであって、
電力の入力に対して、主面と浪費面との間で熱エネルギーを伝達し、前記主面は、導電体と実質的に熱的に接続されており、導電体は、前記電気装置の温度に敏感な部分との間で熱エネルギーを通すための導管として機能し、前記電気装置に／から電力を入れる／出すように構成された熱電装置、
を備えることを特徴とする熱管理システム。
【請求項２】
前記熱電装置に提供される電流の極性を制御し、電流の第１の極性は、システム動作の冷却モードにおいて提供され、電流の前記第１の極性と反対の第２の極性は、システム動作の加熱モードにおいて提供されるように構成されたコントローラを更に備えることを特徴とする請求項１に記載の熱管理システム。
【請求項３】
前記コントローラは、バッテリパックに対する制御機能を管理するように構成されたバッテリ管理システムと集積されていることを特徴とする請求項２に記載の熱管理システム。
【請求項４】
前記電気装置と熱的に接続されており、前記コントローラと電気的に接続されている温度センサを更に備えることを特徴とする請求項２に記載の熱管理システム。
【請求項５】
前記コントローラは、前記温度センサからの入力と、熱管理下の前記電気装置に／から入る／出る電流をモニタし、前記熱電装置に供給される電力を調整するように構成されていることを特徴とする請求項４に記載の熱管理システム。
【請求項６】
前記電気装置は、
複数の電気構成品と、
第１の電気構成品と電気的及び熱的に接続されている第１の導電体と、第２の電気構成品と電気的及び熱的に接続されている第２の導電体と、
前記第１の導電体と実質的に熱的に接続されている第１の熱電装置と、前記第２の導電体と実質的に熱的に接続されている第２の熱電装置と、
前記第１の電気構成品に熱管理を適用するように構成された第１の熱管理システムと、前記第２の電気構成品に熱管理を適用するように構成された第２の熱管理システムとを、更に備え、前記第１及び第２の熱管理システムは、互いに独立に熱管理を適用するよう構成され、前記第１の熱管理システムに供給される電力は、前記第２の熱管理システムに供給される電力と独立に調整される、
ことを特徴とする請求項１に記載の熱管理システム。
【請求項７】
前記電気装置は、
複数の電気構成品と、
複数の電気構成品のうちの第１の電気構成品と第２の電気構成品と電気的及び熱的に接続されている第１の導電体と、を更に備え、前記第１の電気構成品と前記第２の電気構成品は、電気的に接続されており、
前記第１の導電体と実質的に熱的に接続されている第１の熱電装置と、
を更に備えることを特徴とする請求項１に記載の熱管理システム。
【請求項８】
前記複数の電気構成品のうちの前記第２の電気構成品と第３の電気構成品と電気的及び熱的に接続されている第２の導電体と、前記第２の導電体と実質的に熱的に接続されている第２の熱電装置と、を更に備えることを特徴とする請求項７に記載の熱管理システム。
【請求項９】
前記複数の電気構成品ののうちの前記第２の電気構成品と第３の電気構成品と電気的及び熱的に接続されている第２の導電体を更に備え、前記第１の熱電装置は、前記第２の導電体と熱的に接続されている、ことを特徴とする請求項７に記載の熱管理システム。
【請求項１０】
前記熱電装置は、前記導電体と直接熱的に接触していることを特徴とする請求項１−９のいずれかに記載の熱管理システム。
【請求項１１】
前記熱電装置と前記導電体とに熱的に接続されている熱伝達装置を更に備え、前記熱電装置と前記導電体との間で、前記熱伝達装置を通って、熱が流れることを特徴とする請求項１-９のいずれかに記載の熱管理システム。
【請求項１２】
前記熱電装置は、２つの導電体の熱交換面と実質的に熱的に接続されていることを特徴とする請求項１−９のいずれかに記載の熱管理システム。
【請求項１３】
前記熱電装置は、前記導電体と電気的に接続されていることを特徴とする請求項１−９のいずれかに記載の熱管理システム。
【請求項１４】
熱管理下にない外部電源が、前記熱電装置に電力を供給することを特徴とする請求項１−９のいずれかに記載の熱管理システム。
【請求項１５】
前記導電体は、電極であることを特徴とする請求項１−９のいずれかに記載の熱管理システム。
【請求項１６】
前記電気装置は、１つの電極がバッテリの電極と電気的及び熱的に接続されるように構成されたバッテリチャージャを備えることを特徴とする請求項１−９のいずれかに記載の熱管理システム。
【請求項１７】
前記電気装置は、１つの電極をバッテリの電極と電気的に及び熱的に接続するように構成された電気回路を備えることを特徴とする請求項１−９のいずれかに記載の熱管理システム。
【請求項１８】
前記導電体と電気的に接続され、前記導電体と電気的に接続されている第２の電気装置から、前記熱電装置を実質的に熱的に隔離するよう構成された熱絶縁体を更に備えることを特徴とする請求項１−９のいずれかに記載の熱管理システム。
【請求項１９】
前記電気装置は、バッテリパックを備えることを特徴とする請求項１−９のいずれかに記載の熱管理システム。
【請求項２０】
前記電気装置は、バッテリモジュールを備えることを特徴とする請求項１−９のいずれかに記載の熱管理システム。
【請求項２１】
前記電気装置は、バッテリセルを備えることを特徴とする請求項１−９のいずれかに記載の熱管理システム。
【請求項２２】
前記電気装置は、絶縁ゲートバイポーラトランジスタを備えることを特徴とする請求項１−９のいずれかに記載の熱管理システム。
【請求項２３】
前記電気装置は、電力増幅器を備えることを特徴とする請求項１−９のいずれかに記載の熱管理システム。
【請求項２４】
前記電気装置は、複数の電気構成品を備え、前記複数の電気構成品の少なくともいくつかは、バッテリセルを備えることを特徴とする請求項１−９のいずれかに記載の熱管理システム。
【請求項２５】
前記電気装置は、複数の電気構成品を備え、前記複数の電気構成品の少なくともいくつかは、電力増幅器の電気構成品を備えることを特徴とする請求項１−９のいずれかに記載の熱管理システム。
【請求項２６】
前記電気装置は、複数の電気構成品を備え、前記複数の電気構成品の少なくともいくつかは、絶縁ゲートバイポーラトランジスタを備えることを特徴とする請求項１−９のいずれかに記載の熱管理システム。
【請求項２７】
電気装置を熱的に管理する方法であって、
導電性部分と非導電性部分を備える熱伝達装置を、電気装置の複数の導電体に接続し、
前記熱伝達装置と熱電装置の主面との間に実質的に熱的な接続を確立する、
ことを特徴とする方法。
【請求項２８】
第１の熱電装置と、前記電気装置の第１の電気構成品と熱的及び電気的に接続されている第１の導電体との間に、実質的に熱的な接続を確立することと、
第２の熱電装置と、前記電気装置の第２の電気構成品と熱的及び電気的に接続された第２の導電体との間に、実質的に熱的な接続を確立すること、
を更に備えることを特徴とする請求項２７に記載の方法。
【請求項２９】
前記電気装置は、バッテリパックを備えることを特徴とする請求項２７に記載の方法。
【請求項３０】
前記電気装置は、バッテリモジュールを備えることを特徴とする請求項２７に記載の方法。
【請求項３１】
前記電気装置は、バッテリセルを備えることを特徴とする請求項２７に記載の方法。
【請求項３２】
電気装置を熱的に管理する方法であって、
熱電装置と、前記電気装置と熱的及び電気的に接続されている導電体との間に、実質的に熱的な接続を確立し、
前記熱電装置に提供される電流の極性を調整することによって、前記電気装置を加熱あるいは冷却する、
ことを特徴とする方法。
【請求項３３】
温度センサからの入力と、前記電気装置に入る／から出る電流をモニタし、前記入力に対応して、前記熱電装置に入る／から出る前記電流を調整する、
ことを更に含むことを特徴とする請求項３２に記載の方法。
【請求項３４】
第１の熱電装置と、前記電気装置の第１の電気構成品と熱的及び電気的に接続されている第１の導電体との間に、実質的に熱的な接続を確立し、
第２の熱電装置と、前記電気装置の第２の電気構成品と熱的及び電気的に接続された第２の導電体との間に、実質的に熱的な接続を確立し、
前記第２の電気構成品に適用される熱管理とは独立に、前記第１の電気構成品に熱管理を適用する、
ことを更に備えることを特徴とする請求項３２に記載の方法。
【請求項３５】
前記電気装置は、バッテリパックを備えることを特徴とする請求項３２に記載の方法。
【請求項３６】
前記電気装置は、バッテリモジュールを備えることを特徴とする請求項３２に記載の方法。
【請求項３７】
前記電気装置は、バッテリセルを備えることを特徴とする請求項３２に記載の方法。